(57)【要約】      （修正有）【課題】表示装置において、ＨＤＭＩ規格に対応した外部機器を論理的に接続できない際にユーザに報知でき、使い勝手を良くする。【解決手段】ＴＶ受像機は、ＨＤＭＩ規格で定められた論理アドレスと、論理アドレスに対応する機器種別とを示す接続機器種別リストを記憶する。ＨＤＭＩ機器がＨＤＭＩ端子に物理的に接続されると（Ｓ１）、ＴＶ受像機は、ＣＥＣコマンドを送信することにより、ＨＤＭＩ機器から機器種別を取得する（Ｓ２）。そして、接続機器種別リストに基づいて、取得した機器種別が論理的に接続可能か判断する（Ｓ３）。この判断の結果、論理的に接続できない場合、すなわち、取得した機器種別に論理アドレスを割り当てることができず、取得した機器種別のＨＤＭＩ機器は論理的な登録可能台数を超えている場合（Ｓ４でＹＥＳ）、ＴＶ受像機は、接続された機器種別のＨＤＭＩ機器を接続することができない旨のメッセ−ジを表示する（Ｓ５）。【選択図】図４
2012004962.tif 000002
【特許請求の範囲】
【請求項１】
ＨＤＭＩ（Ｈｉｇｈ−Ｄｅｆｉｎｉｔｉｏｎ  Ｍｕｌｔｉｍｅｄｉａ  Ｉｎｔｅｒｆａ
ｃｅ）規格に対応する複数の外部機器を物理的に接続可能な接続手段と、
前記接続手段に接続された前記外部機器から、該外部機器の機器種別を取得する機器種
別取得手段と、
機器種別毎の論理的な接続可能台数の情報を格納した接続可能台数リストを記憶する接
続可能台数リスト記憶手段と、
各種メッセージをユーザに報知する報知手段と、
装置各部を制御する制御手段とを備える表示装置において、
前記接続可能台数リスト記憶手段に記憶されている前記接続可能台数リストに基づいて
、機器種別毎に前記外部機器の論理的な接続が可能か否かを判断する機器種別接続可否判
断手段をさらに備え、
前記制御手段は、
前記接続手段に前記外部機器が物理的に接続されると、前記機器種別取得手段を用いて
、該外部機器の機器種別を取得した後、
前記機器種別接続可否判断手段を用いて、前記接続可能台数リスト記憶手段に記憶され
ている前記接続可能台数リストに基づき、前記機器種別取得手段によって取得された機器
種別の前記外部機器の論理的な接続が可能か否かを判断し、この判断の結果、論理的に接
続できない場合、前記報知手段を用いてユ−ザに、該機器種別の該外部機器を接続するこ
とができない旨を報知することを特徴とする表示装置。
【請求項２】
前記制御手段は、
前記機器種別接続可否判断手段を用いて、前記接続手段に接続された前記外部機器が論
理的に接続可能であると判断したときに、
前記接続台数リスト記憶手段に記憶されている前記接続可能台数リストに基づいて、前
記機器種別取得手段によって取得された機器種別の前記外部機器の接続台数が、論理的な
接続可能台数の上限に達しているか否かを判断し、この判断の結果、該機器種別の該外部
機器の接続台数が論理的な接続可能台数の上限に達している場合、前記報知手段を用いて
ユ−ザに、該機器種別の該外部機器をこれ以上接続することができない旨を報知すること
を特徴とする請求項１に記載の表示装置。
【発明の詳細な説明】
【技術分野】
【０００１】
本発明は、ＨＤＭＩ（Ｈｉｇｈ−Ｄｅｆｉｎｉｔｉｏｎ  Ｍｕｌｔｉｍｅｄｉａ  Ｉｎ
ｔｅｒｆａｃｅ）規格に対応した外部機器を接続可能な表示装置に関する。
【背景技術】
【０００２】
近年、ＨＤＭＩ規格に対応した外部機器（以下、ＨＤＭＩ機器という）を接続可能なＴ
Ｖ受像機が普及している。ユ−ザによっては、このＴＶ受像機に複数のＨＤＭＩ機器を接
続して使用することがある。ＨＤＭＩ機器とＴＶ受像機とは、ＨＤＭＩケ−ブルを介して
接続され、各機器は互いに制御信号（以下、ＣＥＣコマンドという）によって動作の制御
を行う。
【０００３】
ところで、上記ＴＶ受像機、及び複数のＨＤＭＩ機器において、各機器が取得できる論
理アドレスは、ＨＤＭＩ規格で機器種別毎に制限されている。すなわち、ＣＥＣコマンド
で制御可能な機器の台数が機器種別毎にＨＤＭＩ規格で制限されている。例えば、「Ｒｅ
ｃｏｒｄｉｎｇ  Ｄｅｖｉｃｅ（ＨＤＤレコ−ダ等）」のＨＤＭＩ規格上の接続可能台数
は３台であり、４台目のＨＤＤレコ−ダをＨＤＭＩケーブルを介してＴＶ受像機に物理的
に接続したとしても、ＴＶ受像機は４台目のＨＤＤレコ−ダをＣＥＣコマンドで制御する
ことができない。上記ＴＶ受像機では、上述したようにＨＤＭＩ機器を論理的に接続でき
ない場合であっても、ユ−ザが論理的な接続可能台数の制限によってＨＤＭＩ機器が動作
しないことに気付かないことがあるため、ＨＤＭＩ機器に不具合が発生していると誤認識
することがあり、ＨＤＭＩ機器を制御できない原因の究明に手間がかかり、使い勝手が悪
いという問題がある。
【０００４】
これに対して、特許文献１には、機器種別に応じた論理アドレスを取得できなかった音
響映像機器に対して、その後、論理アドレスに空きができたときに、論理アドレスを取得
させる音響映像機器システム、及びテレビジョン受像機が開示されている。しかしながら
、このシステム、及びテレビジョン受像機では、論理的な接続可能台数の上限に達したこ
とにより接続ができないことをユ−ザが知ることができないため、上記問題を解決できな
い。
【０００５】
また、特許文献２には、ＤＶＤ／ＡＶシステムがＴＶ受像機のＨＤＭＩ入力端子へ繋ぎ
替えられたときに信号の変化を検知し、信号の変化をトリガにして、接続機器の全ての機
能をディスプレイに表示して、ＨＤＭＩ規格に対応する機器間の最新の接続形態をユーザ
にリアルタイムで報知する電子機器、及び表示システムが開示されている。しかしながら
、この電子機器、及び表示システムでは、論理的な接続可能台数の上限に達したことによ
り接続ができないことをユ−ザが知ることができないため、上記問題を解決できない。
【０００６】
また、特許文献３には、ＨＤＭＩ規格に対応した複数の電気機器が接続され、複数の電
気機器の物理アドレスを取得し、取得された物理アドレスの情報に基づいて電気機器の各
々の接続位置を示すツリー構造を表示する表示装置が開示されている。しかしながら、こ
の表示装置でも、論理的な接続可能台数の上限に達したことにより接続ができないことを
ユ−ザが知ることができないため、上記問題を解決できない。
【先行技術文献】
【特許文献】
【０００７】
【特許文献１】特開２００９−２６７８２９号公報
【特許文献２】特開２００９−１９４７５３号公報
【特許文献３】特開２００８−６７２６７号公報
【発明の概要】
【発明が解決しようとする課題】
【０００８】
本発明は、上述した問題点を解決するためになされたものであり、ＨＤＭＩ規格に対応
した外部機器を論理的に接続できない際に、ユーザに報知可能であり、使い勝手の良い表
示装置を提供することを目的とする。
【課題を解決するための手段】
【０００９】
上記目的を達成するために請求項１の発明は、ＨＤＭＩ（Ｈｉｇｈ−Ｄｅｆｉｎｉｔｉ
ｏｎ  Ｍｕｌｔｉｍｅｄｉａ  Ｉｎｔｅｒｆａｃｅ）規格に対応する複数の外部機器を物
理的に接続可能な接続手段と、前記接続手段に接続された前記外部機器から、該外部機器
の機器種別を取得する機器種別取得手段と、機器種別毎の論理的な接続可能台数の情報を
格納した接続可能台数リストを記憶する接続可能台数リスト記憶手段と、各種メッセージ
をユーザに報知する報知手段と、装置各部を制御する制御手段とを備える表示装置におい
て、前記接続可能台数リスト記憶手段に記憶されている前記接続可能台数リストに基づい
て、機器種別毎に前記外部機器の論理的な接続が可能か否かを判断する機器種別接続可否
判断手段をさらに備え、前記制御手段は、前記接続手段に前記外部機器が物理的に接続さ
れると、前記機器種別取得手段を用いて、該外部機器の機器種別を取得した後、前記機器
種別接続可否判断手段を用いて、前記接続可能台数リスト記憶手段に記憶されている前記
接続可能台数リストに基づき、前記機器種別取得手段によって取得された機器種別の前記
外部機器の論理的な接続が可能か否かを判断し、この判断の結果、論理的に接続できない
場合、前記報知手段を用いてユ−ザに、該機器種別の該外部機器を接続することができな
い旨を報知するものである。
【００１０】
また、請求項２の発明は、請求項１に記載の表示装置において、前記制御手段は、前記
機器種別接続可否判断手段を用いて、前記接続手段に接続された前記外部機器が論理的に
接続可能であると判断したときに、前記接続台数リスト記憶手段に記憶されている前記接
続可能台数リストに基づいて、前記機器種別取得手段によって取得された機器種別の前記
外部機器の接続台数が、論理的な接続可能台数の上限に達しているか否かを判断し、この
判断の結果、該機器種別の該外部機器の接続台数が論理的な接続可能台数の上限に達して
いる場合、前記報知手段を用いてユ−ザに、該機器種別の該外部機器をこれ以上接続する
ことができない旨を報知するものである。
【発明の効果】
【００１１】
請求項１の発明によれば、外部機器が物理的に接続されると、外部機器の機器種別を取
得した後、この機器種別の外部機器の論理的な接続が可能か否かを判断し、この判断の結
果、論理的に接続できない場合、ユ−ザに、この機器種別の外部機器を接続することがで
きない旨を報知する。そのため、ユーザは、外部機器を物理的に接続できた場合であって
も、論理的に接続できない旨を知ることができるので、外部機器を制御できない原因を容
易に知ることができ、原因を究明する手間が必要なくなるので使い勝手が良くなる。
【００１２】
請求項２の発明によれば、接続された外部機器が論理的に接続可能であると判断したと
きに、取得された機器種別の外部機器の接続台数が、論理的な接続可能台数の上限に達し
ている場合、ユ−ザに、この機器種別の外部機器をこれ以上接続することができない旨を
報知する。そのため、ユーザは、この機器種別の外部機器を接続する前に、この機器種別
の外部機器をこれ以上接続できない旨を容易に知ることができるため、この機器種別の外
部機器を誤って接続することを防ぐことができ、使い勝手がさらに良くなる。
【図面の簡単な説明】
【００１３】
【図１】本発明の一実施形態に係るＴＶ受像機と、このＴＶ受像機に接続された複数のＨＤＭＩ機器とを示す概略構成図。
【図２】上記ＴＶ受像機の内部構成を示すブロック図。
【図３】上記ＴＶ受像機の接続機器種別リストの内容を示すリスト。
【図４】上記ＴＶ受像機における接続可能台数検出処理の手順を示すフローチャート。
【図５】上記接続可能台数検出処理においてディスプレイに表示されるメッセ−ジの一例を示す説明図。
【図６】上記接続可能台数検出処理においてディスプレイに表示されるメッセ−ジの別の一例を示す説明図。
【発明を実施するための形態】
【００１４】
以下、本発明の一実施形態に係るテレビジョン受像機について、図１乃至図３を参照し
て説明する。図１は、テレビジョン（以下、ＴＶという）受像機（表示装置）１と、この
ＴＶ受像機１に接続されたＨＤＤレコ−ダ（外部機器）４１、４２、及びＤＶＤプレ−ヤ
（外部機器）５１の概略構成を示す。図２は、ＴＶ受像機１の内部構成を示し、図３は、
ＴＶ受像機１の接続機器種別リスト１６ｂの一例を示す。
【００１５】
ＴＶ受像機１、ＨＤＤレコ−ダ４１、４２、及びＤＶＤプレ−ヤ５１はいずれも、ＨＤ
ＭＩ（Ｈｉｇｈ−Ｄｅｆｉｎｉｔｉｏｎ  Ｍｕｌｔｉｍｅｄｉａ  Ｉｎｔｅｒｆａｃｅ）
規格に対応した機器であり、ＨＤＭＩ−ＣＥＣ規格に基づくＣＥＣコマンドと、ＣＥＣコ
マンドに対するレスポンスデータとを送受信可能である。ＨＤＤレコ−ダ４１、４２、及
びＤＶＤプレ−ヤ５１のそれぞれは、ＨＤＭＩケ−ブル３１〜３３を介してＴＶ受像機１
と接続している。
【００１６】
ＴＶ受像機１は、図２に示すように、放送局から放送される放送信号を受信するチュー
ナ部１１と、チューナ部１１によって受信された放送信号に基づくＴＶ番組の映像を表示
するディスプレイ１２と、ＴＶ番組の音声を出力するスピーカ１３と、ユ−ザによって操
作される各種操作ボタンを有する操作部１４とを備える。また、ＴＶ受像機１は、ＨＤＭ
Ｉ規格に対応した外部機器（以下、ＨＤＭＩ機器という）を接続するためのＨＤＭＩ端子
ユニット１５と、各種情報を記憶したメモリ（接続可能台数リスト記憶手段）１６と、装
置各部を制御するための制御用マイコン（制御手段）１７とをさらに備える。
【００１７】
ＨＤＭＩ端子ユニット１５は、第１ＨＤＭＩ端子１５ａ〜第５ＨＤＭＩ端子１５ｅ（接
続手段）を有しており、ＨＤＭＩケ−ブルを介してＴＶ受像機１に接続可能なＨＤＭＩ機
器の台数、すなわち、物理的に接続可能なＨＤＭＩ機器の台数は５台である。第１ＨＤＭ
Ｉ端子１５ａには、ＨＤＤレコーダ４１と接続されたＨＤＭＩケーブル３１の一端が接続
されており、第２ＨＤＭＩ端子１５ｂには、ＨＤＤレコーダ４２と接続されたＨＤＭＩケ
ーブル３２の一端が接続されている。第３ＨＤＭＩ端子１５ｃには、ＤＶＤプレ−ヤ５１
と接続されたＨＤＭＩケーブル３３の一端が接続されている。
【００１８】
メモリ１６は、制御用マイコン１７を動作させるためのプログラム１６ａと、接続機器
種別リスト（接続可能台数リスト）１６ｂと、接続機器管理情報１６ｃとを記憶している
。
【００１９】
接続機器種別リスト１６ｂは、図３に示すように、ＨＤＭＩ規格で定められた論理アド
レスと、この論理アドレスに対応する機器種別（デバイスタイプ）との定義を示す。すな
わち、接続機器種別リスト１６ｂは、論理アドレス「０」〜「１５」のそれぞれについて
、機器種別が割り当てられている。
【００２０】
例えば、「Ｒｅｃｏｒｄｉｎｇ  Ｄｅｖｉｃｅ（ＨＤＤレコ−ダ等）」は論理アドレス
「１」「２」「９」の３つが割り当てられており、ＣＥＣ制御可能な「Ｒｅｃｏｒｄｉｎ
ｇ  Ｄｅｖｉｃｅ」は３台に制限されている。ＴＶ受像機１に接続されたＨＤＤレコーダ
は、論理アドレス「１」「２」「９」のいずれかが割り当てられると共に、ＣＥＣ制御機
器として登録される。すなわち、「Ｒｅｃｏｒｄｉｎｇ  Ｄｅｖｉｃｅ（ＨＤＤレコ−ダ
等）」の場合、３台まで論理的に接続可能である。ここでは、以下、論理的に接続可能と
は、論理アドレスを登録可能であることを示し、論理的な接続可能台数とは、機器種別毎
に登録可能な論理アドレスの数を言う。つまり、「Ｒｅｃｏｒｄｉｎｇ  Ｄｅｖｉｃｅ」
の論理的な接続可能台数は３台である。
【００２１】
接続機器管理情報１６ｃには、第１ＨＤＭＩ端子１５ａ〜第５ＨＤＭＩ端子１５ｅに接
続されているＨＤＭＩ機器の物理アドレス、論理アドレス、及び機器種別等の情報が格納
されている。接続機器管理情報１６ｃに格納される情報は更新可能である。
【００２２】
制御用マイコン１７は、映像出力部１７ａと、音声出力部１７ｂと、ＨＤＭＩ通信部（
機器種別取得手段）１７ｃと、接続可能台数判断部（機器種別接続可否判断手段）１７ｄ
と、メッセ−ジ出力部（報知手段）１７ｅとを有する。制御用マイコン１７は、第１ＨＤ
ＭＩ端子１５ａ〜第５ＨＤＭＩ端子１５ｅのいずれかにＨＤＭＩ機器が接続されると、こ
の機器を接続可能か否かを検出するための接続可能台数検出処理を行い、処理の結果に応
じて、各種メッセージをユーザに報知する。
【００２３】
映像出力部１７ａは、チューナ部１１によって受信されたＴＶ番組の映像をディスプレ
イ１２に出力する。音声出力部１７ｂは、チューナ部１１によって受信されたＴＶ番組の
音声をスピーカ１３に出力する。
【００２４】
ＨＤＭＩ通信部１７ｃは、ＨＤＭＩ端子ユニット１５に接続されたＨＤＤレコ−ダ４１
、４２、ＤＶＤプレ−ヤ５１等のＨＤＭＩ機器に対して各種ＣＥＣコマンド及びレスポン
スデータの送受信を行う。具体的には例えば、ＨＤＭＩ機器に対して、物理アドレス、論
理アドレス、及び機器種別を問い合せるＣＥＣコマンドを送信し、ＨＤＭＩ機器から送信
されたレスポンスデ−タを受信する。
【００２５】
接続可能台数判断部１７ｄは、メモリ１６に記憶されている接続機器種別リスト１６ｂ
に基づいて、ＨＤＭＩ端子ユニット１５に接続されたＨＤＭＩ機器が論理的に接続可能か
否かを判断する。
【００２６】
メッセ−ジ出力部１７ｅは、ユーザに報知するための各種メッセージをディスプレイ１
２に出力する。
【００２７】
次に、ＴＶ受像機１における接続可能台数検出処理について、図４乃至図６を参照して
説明する。図４は、本処理の手順を示すフローチャートを示す。図５及び図６は、ディス
プレイ１２に表示されるメッセ−ジの一例を示す。
【００２８】
まず、ＨＤＭＩ機器が第１ＨＤＭＩ端子１５ａ〜第５ＨＤＭＩ端子１５ｅのいずれかに
物理的に接続されると（Ｓ１）、制御用マイコン１７は、ＨＤＭＩ通信部１７ｃを用いて
、ＣＥＣコマンドを送信することにより、接続されたＨＤＭＩ機器の機器種別を取得する
（Ｓ２）。
【００２９】
そして、制御用マイコン１７は、接続可能台数判断部１７ｄを用いて、メモリ１６に記
憶されている接続機器種別リスト１６ｂに基づいて、上記Ｓ２で取得した機器種別のＨＤ
ＭＩ機器が論理的に接続可能か否かを判断する（Ｓ３）。具体的には、接続機器種別リス
ト１６ｂと、接続機器管理情報１６ｃとの内容に基づいて、取得した機器種別に対応する
論理アドレスに空きがあるか否かを判断する。すなわち、接続されたＨＤＭＩ機器がＨＤ
Ｄレコーダである場合、論理アドレス「１」「２」「９」のいずれかに空きがあるか否か
を判断する。
【００３０】
上記Ｓ３の判断の結果、論理的に接続できない場合、すなわち、取得した機器種別に論
理アドレスを割り当てることができず、取得した機器種別のＨＤＭＩ機器は論理的な登録
可能台数を超えている場合（Ｓ４でＹＥＳ）、制御用マイコン１７は、メッセ−ジ出力部
１７ｅを用いて、上記Ｓ１で接続された機器種別のＨＤＭＩ機器を接続することができな
い旨のメッセ−ジをディスプレイ１２に表示する（Ｓ５）。具体的には例えば、上記Ｓ１
で接続した機器種別がＨＤＤレコ−ダである場合、図５に示すように、「レコ−ダは、Ｃ
ＥＣ制御機器登録可能台数の上限に達しているため、接続できません」というメッセ−ジ
をディスプレイ１２に表示してユ−ザに報知する。
【００３１】
一方、上記Ｓ３の判断の結果、論理的に接続可能である場合、すなわち、取得した機器
種別のＨＤＭＩ機器に論理アドレスを割り当てることができ、取得した機器種別が論理的
な登録可能台数を超えていない場合（Ｓ４でＮＯ）、上記Ｓ１で接続されたＨＤＭＩ機器
をＣＥＣ制御機器として登録すると共に、このＨＤＭＩ機器の物理アドレス、割り当てる
論理アドレス、及び機種種別の情報を接続機器管理情報１６ｃに記憶する（Ｓ６）。
【００３２】
そして、制御用マイコン１７は、接続機器管理情報１６ｃと、接続機器種別リスト１６
ｂとの内容に基づいて、上記Ｓ６で登録した機器種別の接続台数が論理的な登録可能台数
の上限に達しているか、すなわち、この機器種別が論理的な接続可能台数の上限に達して
いるか否かを判断する（Ｓ７）。
【００３３】
上記Ｓ７の判断の結果、登録した機器種別の接続台数が論理的な接続可能台数の上限に
達している場合、すなわち、登録した機器種別が論理的な登録可能台数の上限に達してい
る場合（Ｓ８でＹＥＳ）、制御用マイコン１７は、メッセ−ジ出力部１７ｅを用いて、登
録した機器種別のＨＤＭＩ機器をこれ以上接続することができない旨のメッセ−ジをディ
スプレイ１２に表示する（Ｓ９）。具体的には例えば、機器種別がプレ−ヤであるＨＤＭ
Ｉ機器を論理的に接続した場合、図６に示すように、「プレ−ヤのＣＥＣ制御機器登録可
能台数の上限に達しました。」というメッセ−ジをディスプレイ１２上に表示してユ−ザ
に報知する。
【００３４】
上述したように、本実施形態に係るＴＶ受像機１においては、ＨＤＭＩ機器が物理的に
ＨＤＭＩ端子ユニット１５に接続されると、接続されたＨＤＭＩ機器の機器種別を取得し
た後、この機器種別のＨＤＭＩ機器の論理的な接続が可能か否かを判断し、この判断の結
果、論理的に接続できない場合、ユ−ザに、この機器種別のＨＤＭＩ機器を接続すること
ができない旨を報知する。そのため、ユーザは、ＨＤＭＩ機器を物理的に接続できた場合
であっても、論理的に接続できない旨を知ることができるので、ＨＤＭＩ機器を制御でき
ない原因を容易に知ることができ、原因を究明する手間が必要なくなるので使い勝手が良
くなる。
【００３５】
また、ＨＤＭＩ端子ユニット１５に接続されたＨＤＭＩ機器を論理的に接続可能である
と判断したときに、取得された機器種別のＨＤＭＩ機器の接続台数が、論理的な接続可能
台数の上限に達している場合、ユ−ザに、登録した機器種別のＨＤＭＩ機器をこれ以上接
続することができない旨を報知する。そのため、ユーザは、この機器種別のＨＤＭＩ機器
を接続する前に、これ以上接続できない旨を容易に知ることができるため、この機器種別
のＨＤＭＩ機器を誤って接続することを防ぐことができ、使い勝手がさらに良くなる。
【００３６】
なお、本発明は、上記実施形態の構成に限られず、発明の趣旨を変更しない範囲で種々
の変形が可能である。例えば、上記実施形態において、論理的に接続できない場合や、論
理的な接続可能台数の上限に達した場合、ディスプレイ１２にメッセージを表示してユ−
ザに報知する例を示したが、これに限られず、音声メッセージをスピーカから出力してユ
−ザに報知するものであってもよい。
【符号の説明】
【００３７】
１  ＴＶ受像機（表示装置）
１６  メモリ（接続可能台数リスト記憶手段）
１７  制御用マイコン（制御手段）
４１、４２  ＨＤＤレコ−ダ（外部機器）
５１  ＤＶＤプレ−ヤ（外部機器）５１
１５ａ  第１ＨＤＭＩ端子（接続手段）
１５ｂ  第２ＨＤＭＩ端子（接続手段）
１５ｃ  第３ＨＤＭＩ端子（接続手段）
１５ｄ  第４ＨＤＭＩ端子（接続手段）
１５ｅ  第５ＨＤＭＩ端子（接続手段）
１６ｂ  接続機器種別リスト（接続可能台数リスト）
１７ｃ  ＨＤＭＩ通信部（機器種別取得手段）
１７ｄ  接続可能台数判断部（機器種別接続可否判断手段）
１７ｅ  メッセ−ジ出力部（報知手段）
【図１】
2012004962.tif 000003
【図２】
2012004962.tif 000004
【図３】
2012004962.tif 000005
【図４】
2012004962.tif 000006
【図５】
2012004962.tif 000007
【図６】
2012004962.tif 000008